【手続補正書】
【提出日】平成15年2月13日(2003.2.13)
【手続補正１】
【補正対象書類名】明細書
【補正対象項目名】特許請求の範囲
【補正方法】変更
【補正の内容】
【特許請求の範囲】
【請求項１】
データベース探索方法であって、
各レコードがデータベース・レコード所有者と関連したレコードのデータベースの地球的コード化された情報を記憶し、
少なくとも部分的に位置情報に基づいたデータベース探索要求を受け取り、
受け取られたデータベース探索要求と一致したレコードからの情報を含んだ探索結果を与え、
データベース・レコード所有者から指定されたレコードを更新するためのレコードを受け取り、
受け取られたレコードの更新に応答して指定されたレコードを更新する、
ことを含む方法。
【請求項２】
請求項１に記載のデータベース探索方法において、レコードのデータベースの地球的コード化された情報を記憶することが、関連したウエブサイトを定義するデータ及び関連したデータベース・レコード所有者を定義するデータを含んだ複数の情報レコードを記憶することを含むことを特徴とするデータベース探索方法。
【請求項３】
請求項１に記載のデータベース探索方法において、データベース探索要求を受け取ることが、定義された探索範囲内の組織についての地域コンテンツ探索を定義する情報を受け取ることを含むことを特徴とするデータベース探索方法。
【請求項４】
請求項３に記載のデータベース探索方法において、地域コンテンツ探索を定義する情報を受け取ることが、定義された探索範囲として地理的多角形を定義する情報を受け取ることを含むことを特徴とするデータベース探索方法。
【請求項５】
請求項１に記載のデータベース探索方法において、データベース探索要求を受け取ることが、位置と探索範囲を受け取ることを含むことを特徴とするデータベース探索方法。
【請求項６】
請求項５に記載のデータベース探索方法において、データベース探索要求を受け取ることが、地図表示上のユーザのクリックにより定義された位置データを受け取ることを含むことを特徴とするデータベース探索方法。
【請求項７】
請求項５に記載のデータベース探索方法において、データベース探索要求を受け取ることがさらに、探索キーワードを受け取ることを含むことを特徴とするデータベース探索方法。
【請求項８】
請求項５に記載のデータベース探索方法において、データベース探索要求を受け取ることがさらに、探索カテゴリーを定義する情報を受け取ることを含むことを特徴とするデータベース探索方法。
【請求項９】
請求項１に記載のデータベース探索方法において、データベース探索要求を受け取ることが、データベースのユーザからデータベース探索要求を受け取ることを含むことを特徴とするデータベース探索方法。
【請求項１０】
請求項１に記載のデータベース探索方法において、データベース探索要求を受け取ることが、データベース・レコードの所有者からデータベース探索要求を受け取ることを含むことを特徴とするデータベース探索方法。
【請求項１１】
請求項１に記載のデータベース探索方法において、レコード更新を受け取ることが、指定されたレコードについての所有者指定コンテンツ及び地図クリック情報を受け取ることを含むことを特徴とするデータベース探索方法。
【請求項１２】
請求項１に記載のデータベース探索方法において、
指定された最小の数の探索結果を見つけるために設定されるべき最小地球空間的距離を決定し、
少なくとも指定された最小の数の探索結果を検索する、
ことをさらに含むことを特徴とするデータベース探索方法。
【請求項１３】
請求項１に記載のデータベース探索方法において、データベースの少なくともいくつかのレコードが、拡張された範囲の属性及び拡張された位置情報を含み、そして、
受け取られた探索要求位置及び範囲情報と一致する位置情報を有するレコードを探索し、
探索要求位置及び範囲情報により定義された領域内に論理的地域的存在を持つレコードを見つけるために、受け取られた探索要求位置及び範囲情報と一致する拡大された位置情報を有するレコードを探索する、
ことをさらに含むことを特徴とするデータベース探索方法。
【請求項１４】
請求項１に記載されたデータベース探索方法において、
探索範囲に一致する位置情報を持つレコードについて、受け取られた探索要求の位置及び範囲情報により定義された探索範囲内を探索し、
もし見つかった一致したレコードが閾値の数よりも少ない場合は探索範囲を拡張し、
拡張された探索範囲内で一致するレコードを探索する、
ことをさらに含むデータベース探索方法。
【請求項１５】
請求項１に記載されたデータベース探索方法において、
与えられた探索結果の中から地域コンテンツ探索結果中に表示されるべき広告板通知についてのデータベース・レコード所有者の情報を受け取り、
受け取った情報に従って指定されたレコードを更新する、
ことをさらに含むことを特徴とするデータベース探索方法。
【請求項１６】
請求項１に記載されたデータベース探索方法において、探索結果を与えることが、
リストの先頭のプロモーション、
場所的な警告、及び
支払単位広告の制限、
の少なくとも１つに従い、探索結果を優先順位化することを含むことを特徴とするデータベース探索方法。
【請求項１７】
請求項１に記載されたデータベース探索方法において、探索結果を与えることが、
探索要求内のユーザ特有情報を検知し、
ユーザ特有情報に従って探索結果をカスタマイズする、
ことを含むことを特徴とするデータベース探索方法。
【請求項１８】
請求項１７に記載されたデータベース探索方法において、ユーザ特有情報を検知することが、
探索要求と共に受け取られたクッキーを読み、
ユーザ特有情報を検索するためにクッキーを処理する、
ことを含むことを特徴とするデータベース探索方法。
【請求項１９】
請求項１７に記載されたデータベース探索方法において、探索結果をカスタマイズすることが、
ビジネス・プロモーションに従って探索結果を優先順位化する、
ことを含むことを特徴とするデータベース探索方法。
【請求項２０】
請求項１７に記載されたデータベース探索方法において、探索結果をカスタマイズすることが、
探索結果の表示のための地図アイコンをカスタマイズする、
ことを含むことを特徴とするデータベース探索方法。
【請求項２１】
請求項１に記載されたデータベース探索方法において、探索結果を与えることが、
探索位置、探索範囲及び探索結果点を有する地図表示を与えることを含むことを特徴とするデータベース探索方法。
【請求項２２】
請求項２１に記載されたデータベース探索方法において、探索結果を与えることがさらに、
地図上に要求された探索範囲の図形的表示を与えることを含むことを特徴とするデータベース探索方法。
【請求項２３】
請求項２２に記載されたデータベース探索方法において、図形的表示を与えることが、
探索位置を中心とした１つ又は複数の同心円を地図上に表示することを含むことを特徴とするデータベース探索方法。
【請求項２４】
請求項２２に記載されたデータベース探索方法において、探索結果を与えることがさらに、
地図表示上で１つ又は複数の探索結果点が重なり合っているかどうかを決定し、
重なり合っている場合は、２つ以上の結果点を結合して地図表示上の重なり合いを除去することを含むことを特徴とするデータベース探索方法。
【請求項２５】
請求項２２に記載されたデータベース探索方法において、探索結果を与えることがさらに、
ユーザが探索結果表示データを活性化した時にポップアップ表示を見えるように与え、ポップアップ表示は活性化された探索結果表示データと関連した探索結果についての追加情報を提供することを含むことを特徴とするデータベース探索方法。
【請求項２６】
請求項２５に記載されたデータベース探索方法において、ポップアップ表示を与えることが、探索結果からの位置情報を示す通りレベル位置の地図を与えることを含むことを特徴とするデータベース探索方法。
【請求項２７】
請求項２２に記載されたデータベース探索方法において、探索結果を与えることがさらに、
探索結果を表形式で表示する結果テーブルを与えることを含むことを特徴とするデータベース探索方法。
【請求項２８】
請求項２７に記載されたデータベース探索方法において、結果テーブルを与えることが、
探索結果についてのデータと共に表エントリイを含んだテーブルを表示し、
それぞれの表エントリイに対応した結果点を示す地図を表示し、
ユーザにより活性化される時、対応するそれぞれの結果点と共にそれぞれの表エントリイの各々が視覚的に強調表示される、
ことを含むことを特徴とするデータベース探索方法。
【請求項２９】
請求項１に記載されたデータベース探索方法において、
特定のユーザからのデータベース探索要求を受け取る際、その特定のユーザに関連したユーザ好み情報を検出し、
検索されたユーザ好み情報に従って探索結果をフイルターする、
ことを含むことを特徴とするデータベース探索方法。
【請求項３０】
請求項２９に記載されたデータベース探索方法において、
特定のユーザを含む一人又は複数のユーザのユーザ好み情報を記憶することをさらに含むことを特徴とするデータベース探索方法。
【請求項３１】
空間的に選択できる特徴を用いた情報検索システムであって、
選択された探索位置及び選択された探索領域についての情報を含んだ探索要求であって、該探索要求は地球的コード化されたデータベース又はレコードを含んだ遠隔のサーバーと通信可能であり、前記データベース内の各レコードはデータベース・レコード所有者と関連付けられている、前記探索要求を形成するために構成された探索インターフエイスと、
前記遠隔のサーバーから受け取った探索結果に基づいて図形的情報を表示するために構成された地図インターフエイスと、
前記遠隔のサーバーから受け取った探索結果に基づいて表形式の情報を表示するために構成された結果テーブル・インターフエイスと、
探索領域を選択するために探索インターフエイスと協働して動作する探索ツールと、
を含むことを特徴とする情報検索システム。
【請求項３２】
請求項３１に記載の情報検索システムにおいて、地図インターフエイスが、設定された探索結果優先順位化に従って、図形的情報を表示するために構成されていることを特徴とする情報検索システム。
【請求項３３】
請求項３２に記載の情報検索システムにおいて、地図インターフエイスが、支払単位広告の制限に従って、図形的情報を表示するために構成されていることを特徴とする情報検索システム。
【請求項３４】
請求項３２に記載の情報検索システムにおいて、地図インターフエイスが、場所的警報に従って、図形的情報を表示するために構成されていることを特徴とする情報検索システム。
【請求項３５】
請求項３２に記載の情報検索システムにおいて、地図インターフエイスが、リストの先頭プロモーションに従って、図形的情報を表示するために構成されていることを特徴とする情報検索システム。
【請求項３６】
空間的に選択できる特徴を使用した情報検索方法であって、
（ｉ）探索領域を定義する探索要求をユーザから受取り、
（ｉｉ）指定された最小の数の探索結果を見つけて検索するために必要な最小探索領域を定義し、
（ｉｉｉ）定義された最小探索領域の利用可能性を含んだ地球的位置決め情報を各々が有する複数のレコードを含んだ地球的コード化されたデータベース内で、それぞれのレコードに対して定義された最小探索領域を越えたレコードについて索引付けし、
（ｉｖ）指定された点で開始し、そして少なくとも１つのレコードの利用可能性の定義された探索領域を越えた探索領域まで拡大して、データベース内のレコードを探索及び検索をし、
（ｖ）ユーザに提供するためのカテゴリーの動的な組を生成し、
（ｖｉ）レコードを評価して、カテゴリーの組内の全ての適当なカテゴリー内において探索結果の備えを確実にするために適当なデフオルト探索領域を決定する、
ことを含む方法。
【請求項３７】
地域情報検索方法であって、
各レコードがデータベース・レコード所有者と関連していて、関連したデータベース・レコード所有者の製品についての広告情報を含み、そして定義された探索領域の用可能性を持つ、探索可能なレコードの地球的にコード化されたデータベースを記憶し、
ユーザから探索要求を受け取り、少なくともいくつかの探索要求がユーザに関連した位置情報を指定し、
受け取られた探索要求の位置情報と一致した定義された探索領域利用可能性を持つレコードについて、地球的にコード化されたデータベースを探索し、
前記データベースから一致したレコードの情報を含んだ探索結果をユーザに送る、
ことを含むことを特徴とする方法。
【請求項３８】
請求項３７に記載された地域情報検索方法において、探索結果を優先順位化することをさらに含むことを特徴とする方法。
【請求項３９】
請求項３８に記載された地域情報検索方法において、探索結果を優先順位化することが、
探索結果を支払い単位広告基準で順序化することを含むことを特徴とする方法。
【請求項４０】
請求項３７に記載された地域情報検索方法において、
１つ又は複数のレコードについて、定義された探索領域利用可能性を拡大し、
一致したレコードの数か閾値を越えるまで、レコードを探索する、
ことをさらに含むことを特徴とする方法。